(57)【特許請求の範囲】
【請求項１】
有機溶媒として、ポリビニルアルコール１〜２％と、タンパク質０．３〜０．７％、それに膨張剤としてミョウバン（明礬）１〜５％、さらに人工甘味料などとしてソルビトル１〜５％を配合し、これに水１／５〜１／１０を入れてこれら混合物が水とともに均一に配合させる行程と、この混合された混合物を、約９０℃で加熱させた水に投入させ撹拌によって糊化状態でねり、このねりこみ物にタピオカの澱粉約９０％の量を混ぜてさらに練り込む行程と、この練り込み物を１３０℃の温度で保持している押出機を通過させて、かつこのように押出されたねりこね物を１３０℃の温度を保持している金型で所望の形状に成形させる行程と、この成形された任意の加工品を、零下約５０℃を保持する冷却金型の急速冷却によって凝固させる行程からなる、ことを特徴とする妻楊子や、フォークや、食器類など飲食補助部材の製造方法。
【発明の詳細な説明】
【０００１】
【発明の属する技術分野】
この発明は「妻楊枝」や、使い捨てのナイフやフォークなど仮令家畜が食べてしまっても、全く無害の材質の材料で造型される飲食補助部材とその製造方法に関する。
【０００２】
【従来の技術】
従来、「妻楊枝」や各種焼き物に使用される「串」などは竹質あるいは木質であり、使い捨ての「ナイフ」や「フォーク」「スプーン」などは、比較的硬質の合成樹脂材料で造られるのが一般的である。
【０００３】
ところで食後の食べ残し、所謂「残飯」は通常そのままの状態で牛や豚など家畜の餌として与えられる。
【０００４】
しかしこの際上記の妻楊枝や簡易フォークなどが上記残飯に混入し、これら飲食補助部材も同時に食する虞があり、かかる場合これら部材が家畜の「口の中」や「食道」や「胃」の壁に突きささって思わぬ不祥事を招く虞が多分にあった。この為所謂家庭のゴミは燃えるものと燃えないもの、家畜などの餌として不適当な物を分別する作業がなされているが、この作業は頗る大変で、しかも確実に分別できないのが現状である。
【０００５】
また、合成樹脂などで造られる使い捨てのナイフやフォークやコップや皿類はこれが腐敗することがない為、捨てられたこれら産業廃棄物の処理が社会的な大問題となっている。
【０００６】
本願発明者はこれら不祥事を予め防止する手段がないものかと、創意工夫の結果ついに、仮令家畜などが不用意に妻楊枝や簡易ナイフやフォークを食べたり、あるいは飲み込んだりしても全く家畜自身に害がなく、むしろ健康促進に役立たせることができる飲食補助部材を提供することができ、またその製造方法を提唱することができるようにしたものである。
【０００７】
さらに本発明の製造方法で得られた飲食補助部材は、これが仮令捨てられても、ある程度の日時の経過によって所謂土に戻るなどと言われる腐廃現象で粉状あるいは粘状となって、これを肥料とする時は植物の育成に供することができる飲食補助部材を提供することにある。
【０００８】
而して本発明妻楊子や、フォークや、食器類など飲食補助部材の製造方法の特徴は、有機溶媒として、ポリビニルアルコール１〜２％と、タンパク質０．３〜０．７％、それに膨張剤としてミョウバン（明礬）１〜５％、さらに人工甘味料などとしてソルビトル１〜５％を配合し、これに水１／５〜１／１０を入れてこれら混合物が水とともに均一に配合させたこと、およびこの混合された混合物を、約９０℃で加熱させた水に投入させ撹拌によって糊化状態でねり、このねりこみ物にタピオカの澱粉約９０％の量を混ぜてさらに練り込む行程と、この練り込み物を１３０℃の温度で保持している押出機を通過させて、かつこのように押出されたねりこね物を１３０℃の温度を保持している金型で所望の形状に成形させる行程と、この成形された任意の加工品を、零下約５０℃を保持する冷却金型の急速冷却によって凝固させる行程からなる。
【０００９】
【実施の態様】
本発明を実施する態様は多数の方法が考えられる。その一例として、
−１−  先ず有機溶媒としてはポリビニルアルコール１〜２％と、タンパク質０．３〜０．７％、それに膨張剤としてミョウバン（明礬）１〜５％、さらに人工甘味料などとしてソルビトル１〜５％を配合し、これに水１／５〜１／１０を入れてこれら混合物が水とともに均一に配合させ第１工程とした。
【００１０】
−２−  第２の工程として、前記の第１工程によって混合された混合物を、約９０℃で加熱させた水に投入させ撹拌によって糊化状態でねり、タピオカの澱粉約９０％の量を混ぜてさらにねりこんだ。
【００１１】
−３−  ついで、第３の工程として前記のねりこみ物を１３０℃の温度で保持している押出機を通過させて、かつこのように押出されたねりこね物を１３０℃の温度を保持している金型で所望の形状に成形した。
【００１２】
−４−  次に、第４工程として前記第３工程によって成形された任意の加工品を、零下約５０℃を保持する冷却金型の急速冷却によって凝固させ、飲食補助部材本体を完成させたものである。
【００１３】
【実施例の１】
以上によって得られたタピオカを主成分とする飲食補助部材本体（Ａ）を、図１に示すように妻楊枝（１１）に成型した。その結果食後歯を掃除する目的は充分達成され、しかも仮令誤って牛や豚などの家畜に与えてしまっても、何らの問題も起きないことを確認した。
【００１４】
また同図（１２）は、歯の間を掃除する所謂公知の「糸楊枝」であり、これは糸の部分を除いてその他の部分を上部の製造方法で得られた飲食補助部材本体（Ａ）で造ったものであり、（１３）は耳穴などを掃除する公知の所謂「綿棒」で綿の部分を除いて同本体（Ａ）で造ったものであり、（１４）は舌掃除用の「へら」で、いずれの場合もそれぞれの用途の機能は充分発揮できしかも家畜に与えて仕舞っても問題なく、これらは少しの水分と一定の時間で軟らかなものとなり、さらには長日時放置することで、通常の食品と同様に腐廃した。
【００１５】
【実施例の２】
また図２の（２１）（２２）は、従来合成樹脂材料で造られたマドラー，（２３）はスターと呼ばれるいずれも飲み物を攪拌混合させる飲食用補助部材本体（Ａ）で、これらを上記タピオカを主成分とする材料で作ったが、前記同様の秀れた効果が得られた。
【００１６】
【実施例の３】
さらに図３は、前記同様従来合成樹脂材料または木質竹質で造られた簡易スプーン（３１），同フォーク（３２），同ナイフ（３３）で、これらも上記タピオカを主成分とする成分の飲食用補助部材本体（Ａ）として成型し使用したところ、上記と同様の効果を発揮した。
【００１７】
【実施例の４】
図４は、前記同様従来合成樹脂または樹脂の発砲スチロールあるいは紙質で造られた飲飲食用補助部材本体（Ａ）であり、これを本発明の材料で作ったものであり（４１）はコップなどの支え台，（４２）はコップ，（４３）は皿，（４４）は椀，（４５）はコーヒーなどの濾過紙に成型したものでありいずれも本発明の目的作用効果に合致した製品となった。
【００１８】
【実施例の５】
最後に、図５の（５１）は比較的少さい醤油やソース入れ、（５２）はドレッシングなどを入れるための容器類で、これらはいずれも本発明のタピオカを主成分とした材料で造られたものであり、本発明の目的効果を達するに充分な商品となった。
【００１９】
【発明の効果】
以上詳述したように、本発明は飲食用補助部材本体（Ａ）で作られた妻楊枝や簡易ナイフやフォークを、仮令家畜などが不用意に食べたりあるいは飲み込んだりしても、全く家畜自身に害がなく、むしろ上記補助部材が澱粉質であり多くの繊維質を含んでいるから、その新陳代謝を助けるので家畜の健康管理に役立たせることができたのである。
【００２０】
また、本発明の製造方法で得られた飲食補助部材は、これが仮令捨てられても家畜などの排泄行為でも、ある程度の日時の経過によって腐廃菌が発生し腐廃されるので、産業廃棄物の処理問題も未然に防ぐ事が出来るのである。
【００２１】
またこれを肥料とする場合には、その土壌を改良し植物の育成に供することができること勿論である。
【図面の簡単な説明】
【図１】食後などに用いられる口の中の清掃具類の側面図
【図２】飲食物を攪拌混合するときなどに用いられる攪拌具類の側面図
【図３】食事用具の側面図
【図４】飲食物用具の側面図
【図５】容器類の側面図
【符号の説明】
Ａ，  飲食補助部材本体
１１，妻楊枝
１２，糸楊枝
１３，綿棒
１４，ヘラ
２１，マドラー
２２，マドラー
２３，スター
３１，簡易スプーン
３２，簡易フォーク
３３，簡易ナイフ
４１，支え台
４２，コップ
４３，皿
４４，椀
４５，濾過紙
５１，醤油，ソース入れ
５２，ドレッシングなどの容器類
【図１】
0003772228.tif 000002
【図２】
0003772228.tif 000003
【図３】
0003772228.tif 000004
【図４】
0003772228.tif 000005
【図５】
0003772228.tif 000006